(57)【要約】【課題】小型の走行玩具でありながら、ローラーの形状に対応して走行態様を変えることができる、画期的な小型の走行玩具システムを提案すること。【解決手段】走行玩具１と、該走行玩具１を発射するための発射装置２とから構成し、上記走行玩具１は、底面に凹部１３を形成し、該凹部１３にはローラー１２を着脱可能に配置し、走行玩具１は上記ローラー１２の回転力で走行するとともに、上記ローラー１２を回転時に上記走行玩具１の走行態様に変化を与えるように形成し、上記発射装置２は、上記走行玩具１の後面に当接し、トリガーボタン５の操作で装置本体４から突出し、上記走行玩具１を前方に弾き出す弾き部材３を備えた。【選択図】図１
2006181266.tif 000002
【特許請求の範囲】
【請求項１】
走行玩具と、該走行玩具を発射するための発射装置とから構成された、以下の要件を備えることを特徴とする小型走行玩具システム。
（イ）上記走行玩具は、底面に凹部を形成し、該凹部にはローラーを着脱可能に配置し、走行玩具は上記ローラーの回転力で走行すること
（ロ）上記ローラーは、回転時に上記走行玩具の走行態様に変化を与えるように形成されていること
（ハ）上記発射装置は、上記走行玩具の後面に当接し、トリガーボタンの操作で装置本体から突出し、上記走行玩具を前方に弾き出す弾き部材を備えたこと
【請求項２】
前記発射装置をノック式の筆記具で構成し、前記弾き部材を筆記具のノック軸で構成した、請求項1記載の小型走行玩具システム。
【請求項３】
前記走行玩具は、底面の前部には走行面に常時接地する擬似車輪を形成し、該走行玩具は上記擬似車輪と前記ローラーとで走行面に接地している、請求項１記載の小型走行玩具システム。
【請求項４】
前記発射装置は武器玩具を発射する武器玩具発射装置を着脱可能に備えた、請求項１又は２記載の小型走行玩具システム。
【発明の詳細な説明】
【技術分野】
【０００１】
本発明は、小型走行玩具システム、詳しくは発射装置で発射される小型の走行玩具に関するものである。
【背景技術】
【０００２】
従来、小型の物品を発射して遊ぶ玩具としては、球体を発射する発射玩具が本出願人から提案され、実用に供されている（例えば、特許文献１）。
【０００３】
この発射玩具は、球体を胴体部の前面に形成された発射口から押し込むようにして胴体部に配置された弾性を有する一対の弾き片間に装填し、この弾き片の後方に前後に移動可能に配置された押し出し部材を押し操作することによって、弾き片を押し広げながら球体を押し出し、弾き片の先端から押し出された瞬間に弾き片の弾性復元力で球体を発射口から前方に発射することができるものであった。
【特許文献１】実開平６−５８９９９号公報
【発明の開示】
【発明が解決しようとする課題】
【０００４】
本発明が解決しようとする問題点は、上述の玩具は発射する対象が球体であるため、標的を狙ったり、対戦相手と球体を撃ち合ってバトルをしたりするなどの遊びに最適であったが、発射する物体が球体であるため、発射後の物体の状態には変化がなく面白さに欠ける点であった。
【０００５】
本発明は、上記問題点を解決し、小型の走行玩具でありながら、ローラーの形状に対応して走行態様を変えることができる、画期的な小型の走行玩具システムを提案することを課題とする。
【課題を解決するための手段】
【０００６】
前記課題を解決するために本発明に係る小型走行玩具システムは、走行玩具と、該走行玩具を発射するための発射装置とから構成された、以下の要件を備えることを特徴とする。
（イ）上記走行玩具は、底面に凹部を形成し、該凹部にはローラーを着脱可能に配置し、走行玩具は上記ローラーの回転力で走行すること
（ロ）上記ローラーは、回転時に上記走行玩具の走行態様に変化を与えるように形成されていること
（ハ）上記発射装置は、上記走行玩具の後面に当接し、トリガーボタンの操作で装置本体から突出し、上記走行玩具を前方に弾き出す弾き部材を備えたこと
【０００７】
なお、前記発射装置をノック式の筆記具で構成し、前記弾き部材を筆記具のノック軸で構成し、発射装置を走行玩具の発射に供しないときには筆記具として使用できるようにしてもよい。
【０００８】
また、前記走行玩具は、底面の前部には走行面に常時接地する擬似車輪を形成し、該走行玩具は上記擬似車輪と前記ローラーとで走行面に接地し、擬似車輪とローラーとで走行するようにしてもよい。
【０００９】
そして、前記発射装置は武器玩具を発射する武器玩具発射装置を着脱可能に備え、走行玩具を発射させるだけではなく他の走行玩具などの標的を撃つことができるようにしてもよい。
【発明の効果】
【００１０】
請求項１の発明によれば、走行玩具は底部に形成された凹部にローラーを着脱可能に配置し、このローラーは走行玩具の走行態様に変化を与えるように形成されているので、発射装置で発射した走行玩具はローラーを入れ替えることにより様々な走行態様で走行させることができ、シンプルな構造でありながら走行玩具の変化に富んだ走行を楽しむことができる。
【００１１】
請求項２の発明によれば、発射装置をノック式の筆記具で構成し、係合部材を筆記具のノック軸で構成したので、発射装置を走行玩具の発射に供しないときには筆記具として使用することができ、遊びと実用とを兼ね備えた小型走行玩具システムを構築することができる。
【００１２】
請求項３の発明によれば、走行玩具は前部底面に形成された擬似車輪と、ローラーとで接地し、擬似前輪は走行面に常時接地しローラーは走行玩具の走行態様に変化を与えるように形成されているので、走行玩具は擬似車輪を支点にローラーの形状に合わせて動作態様が変化するので、小型で単純な構造でありながら走行玩具の走行を楽しむことができる。
【００１３】
請求項４の発明によれば、走行玩具を発射させるだけではなく他の走行玩具などの標的を撃つことができるので、遊びの幅を広げることができる。
【発明を実施するための最良の形態】
【００１４】
小型走行玩具システムを、走行玩具と、該走行玩具を発射するための発射装置とから構成し、上記走行玩具は、底面の前部には走行面に係合接地する擬似車輪を形成し、底面の後部には凹部を形成し、該凹部にはローラーを交換可能に配置し、走行玩具は上記擬似車輪と上記ローラーとで走行面に接地させ、上記ローラーは、回転時に上記走行玩具の走行態様に変化を与えるように形成するとともにし、上記発射装置は、上記走行玩具の後面に係合し、トリガーボタンの操作で装置本体から突出し、上記走行玩具を前方に弾き出す弾き部材を備えた。
【実施例１】
【００１５】
図１（ａ）（ｂ）は本発明に係る小型走行玩具システムの一例を示し、この小型走行玩具システムは小型の走行玩具１と、この走行玩具１を発射するための発射装置２とからなり、本実施例では上記発射装置２をノック式の筆記具で構成した。
【００１６】
このノック式の筆記具２は、ノック部（弾き部材）３を図示しないスプリングに抗して筆記具本体（装置本体）４に押し込むと、図示しないトリガー部材に係止され、筆記具本体４に没入した状態が維持され、トリガーボタン５を押し操作するとトリガー部材によるノック部３の係止が解除されスプリングに付勢されてノック部３が筆記具本体４から勢いよく突出するとともに、ペン先６が筆記具本体４内に没入するようになっている公知の筆記具で構成されていればよい。
【００１７】
なお、筆記具２を洋服のポケットなどに止めるクリップ７は、筆記具本体４を走行玩具の走行面に水平に置くことができるように平板な板状に形成されている。
【００１８】
この発射装置２は、上記ノック部３に平面視略コ字状の係合板１０が一体に形成されている。この係合板１０は左右の側板１０ａと左右の側板１０ａを連結する発射板１０ｂとで構成され、側板１０ａは走行玩具１を両側から保持し、発射板１０ｂは走行玩具１の後面に当接させた状態で、ノック部３を筆記具本体４から突出させると走行玩具１を前方に確実に発射できるようになっている。
【００１９】
走行玩具１は、図２に示すように、馬を模して形成され、底面の前部には走行面に常時接地する擬似車輪１１が前足を模して形成され、底面の後部にはローラー１２を収容する収容凹部１３が形成され、走行玩具１は擬似車輪１１とローラー１２とが走行面に接地するようになっている。収容凹部１３の両側壁にはローラー１２の支持部１５が形成されている。この支持部１５はローラー１２の支軸２２を軸支する軸受１６と、ローラー１２を着脱するために軸受１６に連設して形成されたスリット１７とで構成されている。なお、支持部１５の両側には軸受１６の部分よりも高い位置までスリット１８が形成されている。このスリット１８は、支持部１５にローラー１２を着脱する際に支持部１５が撓んで、着脱を容易にするためのものである。
【００２０】
ローラー１２は走行玩具１の走行の原動力となるとともに走行態様に変化を与えるもので、走行玩具１を発射の慣性で運ぶことができるように鉄や真鍮などの金属で形成されている。このローラー１２は、走行玩具の走行態様に合わせて複数のローラー１２が用意されている。このローラー１２は車軸２０の両側部には車輪部２１が形成され、両側面には支軸２２が形成されているもので、第１のローラー１２ａは、図３（ａ）、図４（ｂ）に示すように、車輪部２１は表面が滑らかな真円で、支軸２２が車輪部２１の中心に形成されているもので、発射時には走行玩具１は、図５（ａ）に示すように、前足１１とローラー１２ａの車輪部２１が等しく接地して、滑らかに直進するようになっている。
【００２１】
第２のローラー１２ａは、図３（ｂ）、図４（ｂ）に示すように、車輪部２１は表面が滑らかな真円で、支軸２２が車輪部２１の中心から外れた位置に形成されているもので、発射時には走行玩具１は、図５（ｂ）に示すように、支軸２２から車輪部２１の表面までの距離が変わるので、走行時には前足１１を中心に後部が上下に揺動しながら走行し、あたかも馬が走っているような状態を作り出すことができるようになっている。
【００２２】
第３のローラー１２ｃは、図３（ｃ）、図４（ｃ）に示すように、ローラー１２の表面に凹凸が連続して形成されるとともに、支軸２２が車輪部２１の中心に形成されているもので、発射時には走行玩具１は、図５（ｃ）に示すように、前足１１とローラー１２とが等しく接地し直進するが、凹凸が走行面に当たりながらローラー１２が回転するので、走行玩具１は細かく振動しながら「ガー」音を連続して発生しながら走行するようになっている。
【００２３】
第４のローラー１２ｄは、図３（ｄ）、図４（ｄ）に示すように、車輪部２１は側面視楕円状に形成され、支軸２２から車輪部２１の周面までの距離の変化が、第２のローラー１２ｂよりも増えるので、発射時には走行玩具１は、図５（ｄ）に示すように、後部を激しく上下動させて暴れ馬が走っているような状態にすることができるようになっている。
【００２４】
第５のローラー１２ｅは、図３（ｅ）、図４（ｅ）に示すように、２つの車輪部２１が車軸２０に対し左右にスライド可能に配置されているもので、２つの車輪部２１を左右何れか一方に寄せたときには、寄せたほうにカーブを描いて走行し、左右に分離したときには、直進させることができるようになっている（図５（ｅ）参照）。
【００２５】
上記構成の走行玩具１を発射装置２で発射する場合は、ノック部３と一体の係合板１０を押圧して、図示しないスプリングを圧縮した状態で、ノック部３を筆記具本体４に没入させ、図１（ａ）、図６（ａ）に示すように、走行玩具１の後端が発射板１０ｂに当接するように係合板１０に係合させる。次に、トリガーボタン５を押すとノック部３の係止が解除され、スプリングの弾発力で走行玩具１は、図１（ｂ）、図６（ｂ）に示すように、前方に勢いよく発射される。この時、走行玩具１はローラー１２の形状によって、図５（ａ）〜（ｅ）に示すように、様々な走行態様で走行させることができる。
【００２６】
上述の走行玩具システムによれば、走行玩具１に任意のローラー１２を取り付け、発射装置２で発射させれば、取り付けたローラー１２の形状に応じて様々な走行態様を示し、小型の走行玩具でありながら、様々な走行態様を楽しむことができる。
【００２７】
しかも、発射装置２をノック式の筆記具で構成することにより、走行玩具遊びをしないときには発射装置２を筆記具として使用することができ、勉強の合間には走行玩具１で遊ぶことができ、気分転換を図ることができる小型走行玩具システムを提供することができる。
【００２８】
図７は、走行玩具１を馬に代えて戦車で構成したもので、馬の場合と同様に、底面の前部には走行面に係合接地する擬似車輪１１が形成され、底面の後部にはローラー１２を収容する収容凹部１３が形成され、擬似車輪１１とローラー１２とが走行面に接地するようになっている。
【００２９】
この走行玩具１は上述の発射装置２で、馬の場合と同様に発射すればよいが、戦車は砲筒から砲弾を発射するものなので、武器玩具発射装置３０を発射装置２に装着しても構わない。この武器玩具発射装置３０は、図７（ａ）、図８（ａ）、図９（ａ）に示すように、内部に鉤の手状に曲折した係止部材３１を回動可能に収容した支持筒３２の底部には一対の挟持片３３が設けられ、支持筒３２の上部には中空の支持軸３４が前方に突出して形成され、上記係止部材３１の先端に形成されたフック３５は支持軸３４に形成された開口部３６から下方に突出し、係止部材３１の後端は操作レバー３７として支持筒３２の背面に形成された開口部３８から後方に突出している。
【００３０】
上記係止部材３１はスプリング４０に付勢されて、図８（ａ）上で、支軸４１を中心に反時計方向に回動し、フック３５が常に支持軸３４から突出するようになっている。
【００３１】
この武器玩具発射装置３０で発射される武器玩具４２は、砲弾を模して後端が開口した筒状に形成されたもので、内部にはスプリング４３が配設され、後部底面には係止穴４４が形成され、図８（ａ）、図９（ｂ）に示すように、支持軸３４を武器玩具４２に差し込むとフック３５がスプリング４３を圧縮した状態で係止穴４４を係止し、武器玩具４２を武器玩具発射装置３０に取り付けた状態にすることができるようになっている。
【００３２】
この武器玩具４２を発射するにあたっては、図８（ｂ）に示すように、レバー３７を押し下げると、係止部材３１は時計方向に回動し、フック３５が上動するのでフック３５による武器玩具４２の係止が解除され、武器玩具４２はスプリング４３の弾発力で勢いよく武器玩具発射装置３０から飛び出すように発射されるようになっている。
【００３３】
上記構成の走行玩具システムによれば、ノック部３と一体の係合板１０を押圧して、図示しないスプリングを圧縮した状態で、ノック部３を筆記具本体４に没入させ、図８（ａ）に示すように、走行玩具１の後端が発射板１０ｂに当接するように係合板１０に係合させるとともに、武器玩具４２を支持軸３４にフック３５が係止穴４４を係止するまで差し込む。
【００３４】
次に、トリガーボタン５を押すとノック部３の係止が解除され、スプリングの弾発力で走行玩具１は、図８（ｂ）に示すように、前方に勢いよく発射される。この時、走行玩具１は上述したようにローラー１２の形状によって、様々な走行態様で走行させることができる。
【００３５】
走行玩具１の発射とともに、レバー３７を押し下げると、係止部材３１による武器玩具２の係止が解除されるので、武器玩具４２はスプリング４３の弾発力で勢いよく前方に飛び出す。
【００３６】
この時、前方に相手の走行玩具１´があり、この走行玩具１´に武器玩具４２が命中するように発射装置２の向きを設定して武器玩具４２を発射し、相手の走行玩具１´に武器玩具４２が命中して、テーブルなどの遊戯面から落として遊ぶこともできる小型走行玩具システムを実現することができる。
【図面の簡単な説明】
【００３７】
【図１】（ａ）（ｂ）は本発明に係る小型走行玩具システムの一例を示す斜視図
【図２】走行玩具の構成を説明する底面側斜視図
【図３】（ａ）〜（ｅ）はローラーの構造を説明する斜視図
【図４】（ａ）〜（ｅ）はローラーの構造を説明する側面図及び平面図
【図５】（ａ）〜（ｅ）は上記ローラーによる走行玩具の走行態様を説明する側面図及び平面図
【図６】（ａ）（ｂ）は上記小型走行玩具システムの使用態様を説明する側面図
【図７】（ａ）（ｂ）は上記小型走行玩具システムの他の例を説明する斜視図
【図８】（ａ）（ｂ）は上記他の例の小型走行玩具システムの構造を説明する要部を切断した側面図
【図９】（ａ）（ｂ）は武器玩具発射装置の構成を説明する底面側斜視図
【図１０】上記他の例の小型走行玩具システムの使用態様を説明する側面図
【符号の説明】
【００３８】
１    走行玩具
２    発射装置
３    弾き部材（ノック部）
４    装置本体（筆記具本体）
５    トリガーボタン
１１    擬似車輪
１２    ローラー
１３    凹部
【図１】
2006181266.tif 000003
【図２】
2006181266.tif 000004
【図３】
2006181266.tif 000005
【図４】
2006181266.tif 000006
【図５】
2006181266.tif 000007
【図６】
2006181266.tif 000008
【図７】
2006181266.tif 000009
【図８】
2006181266.tif 000010
【図９】
2006181266.tif 000011
【図１０】
2006181266.tif 000012